(57)【要約】【課題】拡張トレイを有する用紙積載装置を格納位置と使用位置とに設定する際には、２段操作、即ち、用紙トレイの操作と拡張トレイの操作とが必要であり、操作性がよくなかった。【解決手段】拡張トレイを付勢手段を用いて突出方向に付勢し、付勢力と自重とを利用して収納位置と拡張位置とに移動するように設ける。【選択図】　　　　図２
2004035217.tif 000002
【特許請求の範囲】
【請求項１】
軸に回転可能に支持され用紙が積載される用紙トレイ、
該用紙トレイに対してスライド可能な拡張トレイ及び、
前記拡張トレイを前記用紙トレイから突出させるように付勢する付勢手段を有し、
ほぼ垂直な前記用紙トレイの格納状態では、前記拡張トレイはその自重により前記付勢手段に抗し移動して収納され、水平に近い使用状態では、前記付勢手段により前記拡張トレイが前記用紙トレイから突出して積載面積を拡大することを特徴とする用紙積載装置。
【請求項２】
前記用紙トレイを前記使用状態に規制する規制手段を有することを特徴とする請求項１に記載の用紙積載装置。
【請求項３】
請求項１に記載の前記用紙積載装置を手差し給紙部又は排紙部に設けたことを特徴とする画像形成装置。
【発明の詳細な説明】
【０００１】
【発明の属する技術分野】
本発明は用紙積載装置及び用紙積載装置を有する画像形成装置に関する。
【０００２】
【従来の技術】
画像形成装置には、使用時に必要な面積を有するが、非使用時には狭い空間に格納することを可能にするために収納可能な拡張トレイを設けた用紙積載装置が装備されているものが多い。
【０００３】
【発明が解決しようとする課題】
しかるに拡張トレイを有する用紙積載装置では、拡張トレイが手動により出し入れされるために、使用時において、用紙積載装置を格納状態から使用状態に回転させる設定操作と、拡張トレイを収納位置から使用位置に引き出す操作からなる２段操作が必要であり、また、用紙トレイを格納するには前記と逆の２段操作が必要であり操作性が良くなかった。このために、格納時における拡張トレイの収納し忘れが起きやすいという問題があった。
【０００４】
本発明は従来の拡張トレイを有する用紙積載装置における前記問題を解決することを特徴とする。
【０００５】
【課題を解決するための手段】
前記本発明の目的は下記の発明により達成される。
【０００６】
１．軸に回転可能に支持され用紙が積載される用紙トレイ、
該用紙トレイに対してスライド可能な拡張トレイ及び、
前記拡張トレイを前記用紙トレイから突出させるように付勢する付勢手段を有し、
ほぼ垂直な前記用紙トレイの格納状態では、前記拡張トレイはその自重により前記付勢手段に抗し移動して収納され、水平に近い使用状態では、前記付勢手段により前記拡張トレイが前記用紙トレイから突出して積載面積を拡大することを特徴とする用紙積載装置。
【０００７】
２．前記用紙トレイを前記使用状態に規制する規制手段を有することを特徴とする前記１に記載の用紙積載装置。
【０００８】
３．前記用紙積載装置を手差し給紙部又は排紙部に設けたことを特徴とする画像形成装置。
【０００９】
【発明の実施の形態】
図１、２により本発明の実施の形態における用紙積載装置１００を説明する。図１は本発明の実施の形態に係る用紙積載装置の作動を示す図、図２は格納時及び使用時における用紙積載装置を示す図である。
【００１０】
用紙積載装置１００は、用紙トレイ１０１及び拡張トレイ１０２を有する。用紙トレイ１０１は画像形成装置本体Ｈに設けた軸１０９に回転可能に支持されており、非使用時には図２（ａ）に示すように画像形成装置本体Ｈの凹部ＨＯ内にほぼ垂直な状態で収納されている。使用時には図２（ｂ）に示すように水平に近い傾いた状態に設定される。１０８は画像形成装置本体Ｈに設けた規制手段としての受け台であり用紙トレイ１０１を使用状態の一定角度位置に規制して支持する。使用状態における受け台１０８の規制角度は水平に対して５〜４５°程度が望ましい。
【００１１】
用紙トレイ１０１には拡張トレイ１０２がスライドして出入可能に設けられる。即ち、用紙トレイ１０１に設けた一対の案内溝１０１ａにより、拡張トレイ１０２に設けたそれぞれ一対に案内ピン１０２ａ、１０２ｂが案内されて拡張トレイ１０２が移動し、図２（ａ）の収納位置と図２（ｂ）の拡張位置とに移動する。拡張トレイ１０２の移動は案内溝１０１ａの端部に設けたストッパ１０１ｂにより制限される。
【００１２】
拡張トレイ１０２に設けたピン１１０には紐１０３の一端が固定され、拡張トレイ１０２は紐１０３により以下に説明するように駆動される。
【００１３】
紐１０３の他端はリール１０４に固定され、リール１０４の反時計方向の回転で巻き込まれ、時計方向の回転で展開される。また、紐１０３はピン１１０とリール１０４との間で滑車１１１に懸架される。引っ張り型のバネ１０７ａに一端が連結された紐１０７ｂの他端はリール１０６に固定される。リール１０６の反時計方向の回転で紐１０７ｂは巻き込まれ、時計方向の回転で展開される。リール１０４とリール１０６とは、それぞれに固定された２個の減速歯車１０５ａ、１０５ｂにより連結される。リール１０４、１０６、滑車１１１及びバネ１０７ａの取付部は、図示しないが、用紙トレイ１０１と一体な支持部材に取り付けられる。
【００１４】
拡張トレイ１０２はバネ１０７ａの付勢により図１の上方に押し上げられる。
用紙トレイ１０１が図２（ａ）のようにほぼ垂直な格納状態にあるときには、拡張トレイ１０２の質量による重力がバネ１０７ａの付勢力に打ち勝って、図１の下方に変位して、図２（ａ）に示すように用紙トレイ１０１内に格納される。用紙トレイ１０１が図２（ｂ）に示す水平に近い使用状態にあるときには、拡張トレイ１０２の質量による重力が減少してバネ１０７ａの付勢力により拡張トレイ１０２は図示のように用紙トレイ１０１から突出し、用紙の積載面積が拡大する。
【００１５】
このように、用紙トレイ１０１を回転させる操作のみで、拡張トレイ１０２が自動的に用紙トレイ１０１に対して変位する。
【００１６】
図３は本発明の実施の形態に係る画像形成装置を示す図である。
図において、１０は電子写真方式により用紙上に画像を形成する画像形成部、２０は原稿の画像を読み取って、画像データを生成する画像読取部、３０は用紙を収納する用紙収納部である。
【００１７】
画像形成部１０は、感光体１１を有し、該感光体１１上に、帯電、露光、現像によりトナー像を形成し、感光体１１に形成されたトナー像を用紙に転写する像形成ユニット１２、転写された未定着の画像を定着する定着装置１３、画像が形成され排紙された用紙を支持する排紙部ＨＳ、片面に画像が形成された用紙を表裏反転する反転搬送部１５、用紙収納部３０から用紙を送り出す給紙手段１６ａ、１６ｂ、１６ｃ及び手差し給紙部ＴＳを有する。
【００１８】
画像読取部２０は原稿が載置される原稿給紙台２１、原稿を搬送し、読取位置を形成するプラテンローラ２２、読取済み原稿が載置される原稿排紙台２３及び画像光を受光し、画像信号に変換するイメージセンサ２４、原稿を照明するランプとミラーからなり原稿載置台２７に載置された原稿を走査する移動可能な走査ユニット２５及び２枚のミラーからなり、走査ユニット２５の２分の１の速度で移動可能な走査ユニット２６を有する。
【００１９】
画像読取部２０は原稿給紙台２１から原稿を搬送して読み取る原稿読取機能と原稿載置台２７に載置された静止原稿を走査して読み取りを行う原稿読取機能を有する。用紙収納部３０は、個々に画像形成装置本体に挿脱可能な複数の用紙収納部からなり、用紙収納部は図示の例では給紙トレイ３１ａ、３１ｂ、３１ｃである。
【００２０】
図１、２に示した用紙積載装置は図３の手差し給紙部ＴＳ又は排紙部ＨＳに用いられる。
【００２１】
【発明の効果】
請求項に記載の発明により、用紙積載装置の取出・格納を行うワンアクション操作で拡張トレイが伸長・収納されるので、高い信頼性と使いやすさを持った用紙積載装置又は画像形成装置が実現される。
【図面の簡単な説明】
【図１】本発明の実施の形態に係る用紙積載装置の作動を示す図である。
【図２】格納時及び使用時における用紙積載装置を示す図である。
【図３】本発明の実施の形態に係る画像形成装置を示す図である。
【符号の説明】
１００　用紙積載装置
１０１　用紙トレイ
１０２　拡張トレイ
１０３　紐
１０４、１０６　リール
１０５ａ、１０５ｂ　減速歯車
Ｈ　画像形成装置本体
ＨＳ　排紙部
ＴＳ　手差し給紙部
【図１】
2004035217.tif 000003
【図２】
2004035217.tif 000004
【図３】
2004035217.tif 000005